(57)【要約】      （修正有）【課題】外からの紫外線による内容商品の劣化を防止できる透明容器を提供する。【解決手段】透明容器であって、容器本体が、樹脂シート１１に不織布１２を貼り合わせた複合シート１０により作成されてなる。樹脂シートおよび不織布が透明又は半透明をなし、複合シートの透ける度合が不織布の厚みにより定まるのが好ましい。また、不織布の側が、容器本体の外側に配置されているのが好ましい。【選択図】図３
0003194184.tif 000002
【実用新案登録請求の範囲】
【請求項１】
容器本体が、樹脂シートに不織布を貼り合わせた複合シートにより作成されてなる透明容器。
【請求項２】
前記樹脂シートが透明又は半透明をなし、前記不織布が透明又は半透明をなす請求項１に記載の透明容器。
【請求項３】
前記複合シートの透ける度合が不織布の厚みにより定まる請求項１又は２に記載の透明容器。
【請求項４】
前記複合シートにおける不織布の側が、容器本体の外側に配置されてなる請求項１〜４のいずれかに記載の透明容器。
【考案の詳細な説明】
【技術分野】
【０００１】
本考案は透明容器に関する。
【背景技術】
【０００２】
従来、透明容器として、特許文献１に記載の如く、透明のＰＰ（ポリプロピレン）又はＰＥＴ（ポリエチレンテレフタレート）等の樹脂シートにより容器本体を作成したものがある。
【先行技術文献】
【特許文献】
【０００３】
【特許文献１】特開平06-144436
【考案の概要】
【考案が解決しようとする課題】
【０００４】
特許文献１に記載の透明容器には、以下の問題点がある。
(1)透明の樹脂シートからなる容器本体では、外からの紫外線の侵入によって内容商品の劣化を招き易い。
【０００５】
(2)装飾的に容器本体の透ける度合の調整は、透明の樹脂シートの表面に薄い白色インキをオフセット印刷する等によるしかなく、困難であった。
【０００６】
(3)透明の樹脂シートからなる容器本体は、表面を鏡面状にしており、手の接触による指紋跡を生じ易い。
【０００７】
(4)透明の樹脂シートをサックマシン等の容器製造機に通し、展開シートを罫線で折ったり、糊貼りするとき、鏡面状の表面に生ずる擦れ傷が目立ち易い。このため、サックマシンでの加工速度を上げることができず、加工コストが高くなる。
【０００８】
(5)透明の樹脂シートの表面に印刷を施し、一方の樹脂シートの印刷表面の上に他方の樹脂シートの裏面を重ねて積層保管するとき、他方の受信シートの裏面に一方の樹脂シートの印刷インキが裏写りし、ひいてはブロッキングを招くおそれがある。
【０００９】
本考案の課題は、内容商品の劣化を防止できる透明容器を簡易に得ることにある。
【００１０】
本考案の他の課題は、所望の透ける度合を具備した透明容器を簡易に得ることにある。
【００１１】
本考案の他の課題は、指紋跡を生じにくい透明容器を簡易に得ることにある。
【００１２】
本考案の他の課題は、加工コストを低減できる透明容器を簡易に得ることにある。
【００１３】
本考案の他の課題は、印刷インキの裏写りやブロッキングを防止できる透明容器を簡易に得ることにある。
【課題を解決するための手段】
【００１４】
請求項１に係る考案は、容器本体が、樹脂シートに不織布を貼り合わせた複合シートにより作成されてなる透明容器である。
【００１５】
請求項２に係る考案は、請求項１に係る考案において更に、前記樹脂シートが透明又は半透明をなし、前記不織布が透明又は半透明をなすようにしたものである。
【００１６】
請求項３に係る考案は、請求項１又は２に係る考案において更に、前記複合シートの透ける度合が不織布の厚みにより定まるようにしたものである。
【００１７】
請求項４に係る考案は、請求項１〜４のいずれかに係る考案において更に、前記複合シートにおける不織布の側が、容器本体の外側に配置されてなるようにしたものである。
【考案の効果】
【００１８】
（請求項１）
(a)複合シートを構成する不織布の樹脂長繊維が、外からの紫外線を遮蔽し、複合シートからなる容器本体の内容商品の紫外線による劣化を防止できる。
【００１９】
（請求項２）
(b)透明又は半透明からなる樹脂シートに、透明又は半透明からなる不織布を貼り合せて複合シートを構成することにより、複合シートからなる容器本体を確実に透明又は半透明からなるものとすることができる。
【００２０】
（請求項３）
(c)複合シートを構成する不織布の厚み（坪量g/m2）の設定により、複合シートからなる容器本体に所望の透ける度合を具備できる。
【００２１】
（請求項４）
(d)容器本体の外側に、複合シートにおける不織布の側を配置した。複合シートからなる容器本体の外側面が不織布の無秩序な凹凸面からなり、下記i〜iiiが実現できる。
【００２２】
i. 容器本体の外側面が鏡面状をなすことがなく、手の接触による指紋跡を生じにくい。
【００２３】
ii. 複合シートをサックマシン等の容器製造機に通し、展開シートを罫線で折り曲げ、糊貼りするとき、容器本体の外側面に生ずる擦れ傷が目立ちにくい。これにより、サックマシンの加工速度を上げることができ、加工コストを低減できる。
【００２４】
iii. 複合シートを構成する不織布の表面に印刷を施すとき、印刷インキの少なくとも一部が図３（Ｂ）に示す如く、不織布の表面の凹部（谷間）に侵入して留置される。これにより、一方の複合シートの印刷表面の上に他方の複合シートの裏面を重ねて積層保管するとき（図３（Ｃ））、他方の複合シートの裏面に一方の複合シートの印刷インキが裏写りしにくく、ひいてはブロッキングの発生を軽減できる。
【図面の簡単な説明】
【００２５】
【図１】図１は角型容器を示す模式図である。
【図２】図２は丸型容器を示す模式図である。
【図３】図３は複合シートを示す模式図である。
【考案を実施するための形態】
【００２６】
（実施例１）（図１、図３）
図１に示した実施例１の透明角型容器１００は、板紙状の複合シート１０からなる展開シートがサックマシンに通されて折り畳み形成されるとともに、接着され、角型容器本体１１０が形成されたものである。容器本体１１０は、四角筒状をなすものに限らず、三角筒状、五角筒状を含むいかなる多角筒状をなすものでも良い。容器本体１１０は、複合シート１０によって形成される、胴部１１１と底部１１２と蓋部１１３とを有する。
【００２７】
本実施例において、胴部１１１は、正面板１１１Ａ、左側面板１１１Ｂ（不図示）、背面板１１１Ｃ（不図示）、右側面板１１１Ｄを順に連設し、これらの各板１１１Ａ〜１１１Ｄを四角筒状に折り曲げ、正面板１１１Ａの内側面（又は外側面）に右側面板１１１Ｄの側縁部に連設した糊付フラップ１１１Ｅの外側面（又は内側面）を例えばホットメルト接着剤により糊接着して胴貼部を形成する。左側面板１１１Ｂの上下の両端部には折曲フラップ１１１Ｆ、１１１Ｇ（不図示）が連設され、右側面板１１１Ｄの上下の両端部には折曲フラップ１１１Ｈ、１１１Ｉが連設される。
【００２８】
底部１１２は、胴部１１１の正面板１１１Ａの下端部に連設される底板１１２Ａ、底板１１２Ａの先端部に連設される差込フラップ１１２Ｂを有する。底板１１２Ａを胴部１１１の側面板１１１Ｂ、１１１Ｄの下端部で容器内方へ折り曲げられた左右の折曲フラップ１１１Ｇ、１１１Ｉに重ね、差込フラップ１１２Ｂを胴部１１１の背面板１１１Ｃの下端部の内側に差し込むことにより、胴部１１１の下端開口を閉鎖する底部１１２が形成される。
【００２９】
蓋部１１３は、胴部１１１の正面板１１１Ａの上端部に連設される蓋板１１３Ａ、蓋板１１３Ａの先端部に連設される差込フラップ１１３Ｂを有する。蓋板１１３Ａを胴部１１１の側面板１１１Ｂ、１１１Ｄの上端部で容器内方へ折り曲げられた左右の折曲フラップ１１１Ｆ、１１１Ｈに重ね、差込フラップ１１３Ｂを胴部１１１の背面板１１１Ｃの上端部の内側に差し込むことにより、胴部１１１の上端開口を閉鎖する蓋部１１３が形成される。
【００３０】
しかるに、透明容器１００にあっては、容器本体１１０を作成する複合シート１０が、図３（Ａ）に示す如く、樹脂シート１１に不織布１２を貼り合わせて構成される。樹脂シート１１と不織布１２は接着剤により貼り合わされる。
【００３１】
複合シート１０を構成する樹脂シート１１は透明又は半透明をなすものとされる。本実施例において、樹脂シート１１は、例えばＰＥＴ（ポリエチレンテレフタレート）、ＰＥ（ポリエチレン）、ＰＰ（ポリプロピレン）等を採用できる。
【００３２】
複合シート１０を構成する不織布１２は透明又は半透明をなすものとされる。不織布１２は、例えば長繊維からなる不織布であり、例えばポリエステル長繊維不織布、ポリプロピレン長繊維不織布等を採用できる。
【００３３】
本実施例の透明容器１００では、容器本体１１０を構成する複合シート１０として、ＰＥＴからなる樹脂シート１１に、ポリエステル長繊維不織布からなる不織布を貼り合わせたものを用いた。
【００３４】
尚、不織布１２は、例えば化学繊維を紡糸するときに、繊維が十分に固まらないうちに直接シート状に形成されたものであり、繊維のところどころが点接着された、薄くても柔らかく丈夫な不織布である。
【００３５】
また、本実施例の透明容器１００では、容器本体１１０を構成する複合シート１０の透ける度合が、不織布１２の厚みにより設定される。即ち、不織布１２の厚みの設定替えにより、複合シート１０の透ける度合を調整し、容器本体１１０の透明度を調整できる。
【００３６】
また、本実施例の透明容器１００では、複合シート１０における不織布１２の側が、容器本体１１０の外側に配置され、外界に臨む不織布１２の表面にオフセット等の印刷が施される。
【００３７】
従って、本実施例の透明容器１００によれば、以下の作用効果を奏する。
(a)複合シート１０を構成する不織布１２の樹脂長繊維が、外からの紫外線を遮蔽し、複合シート１０からなる容器本体１１０の内容商品の紫外線による劣化を防止できる。
【００３８】
(b)透明又は半透明からなる樹脂シート１１に、透明又は半透明からなる不織布を貼り合せて複合シート１０を構成することにより、複合シート１０からなる容器本体１１０を確実に透明又は半透明からなるものとすることができる。
【００３９】
(c)複合シート１０を構成する不織布の厚み（坪量g/m2）の設定により、複合シート１０からなる容器本体１１０に所望の透ける度合を具備できる。
【００４０】
(d)容器本体１１０の外側に、複合シート１０における不織布の側を配置した。複合シート１０からなる容器本体１１０の外側面が不織布の無秩序な凹凸面からなり、下記i〜iiiが実現できる。
【００４１】
i. 容器本体１１０の外側面が鏡面状をなすことがなく、手の接触による指紋跡を生じにくい。
【００４２】
ii. 複合シート１０をサックマシーン等の容器製造機に通し、展開シートを罫線で折り曲げ、糊貼りするとき、容器本体１１０の外側面に生ずる擦れ傷が目立ちにくい。これにより、サックマシンの加工速度を上げることができ、加工コストを低減できる。
【００４３】
iii. 複合シート１０を構成する不織布１２の表面に印刷を施すとき、印刷インキの少なくとも一部が図３（Ｂ）に示す如く、不織布１２の表面の凹部１２Ａ（谷間）に侵入して留置される。これにより、一方の複合シート１０の印刷表面の上に他方の複合シート１０の裏面を重ねて積層保管するとき（図３（Ｃ））、他方の複合シート１０の裏面に一方の複合シート１０の印刷インキが裏写りしにくく、ひいてはブロッキングの発生を軽減できる。
【００４４】
（実施例２）（図２）
図２に示した実施例２の透明丸型容器２００が実施例１の透明角型容器１００と異なる点は、容器本体２１０が丸型をなすものとしたことにある。即ち、実施例１におけると同じ複合シート１０からなる展開シートが円筒容器製造機に通されて成形されるとともに接着され、丸型容器本体２１０が形成されたものである。容器本体２１０は、複合シート１０によって作成される筒本体部２１１と底部２１２（不図示）と蓋部２１３とを有する。
【００４５】
筒本体部２１１は、長尺筒板２１１Ａを丸筒状に曲げ、長尺筒板２１１Ａの一側縁部の内側面（又は外側面）に該長尺筒板２１１Ａの他側縁部に連設した糊付フラップ２１１Ｂの外側面（又は内側面）を例えばホットメルト接着剤により糊接着して胴貼部を形成する。その後、長尺筒板２１１Ａの上下両端部を熱成形して容器内方へカール状に巻き加工し、横断面円形状をなす上下端のカール部（不図示）を形成する。
【００４６】
底部２１２は、円板状面子（不図示）からなる。筒本体部２１１の長尺筒板２１１Ａの上端開口から差し込まれる円板状面子を、長尺筒板２１１Ａの下端カール部に係止させて接着し、長尺筒板２１１Ａの下端開口を閉鎖する底部２１２が形成される。
【００４７】
蓋部２１３は、短尺筒板２１３Ａを丸筒状に曲げ、短尺筒板２１３Ａの一側縁部の内側面（又は外側面）に該短尺筒板２１３Ａの他側縁部に連設した糊付フラップ２１３Ｂの外側面（又は内側面）を例えばホットメルト背着剤により糊接着して胴貼部を形成する。その後、短尺筒板２１３Ａの上下両端部を熱成形して容器内方へカール状に巻き加工し、横断面円形状をなす上下端のカール部（不図示）を形成する。そして、短尺筒板２１３Ａの下端開口から差し込まれる円板状面子２３１Ｃを、短尺筒板２１３Ａの上端カール部に係止させて接着し、短尺筒板２３１Ａの上端開口を閉鎖する。
【００４８】
容器本体２１０は、筒本体部２１１を形成する長尺筒板２１１Ａの外径に比し、蓋部２１３を形成する短尺筒板２１３Ａの内径を大きく設定し、蓋部２１３が筒本体部２１１の上端部に嵌着されて長尺筒板２１１Ａの上端開口を閉鎖する。
【００４９】
しかるに、透明容器２００にあっては、透明容器１００におけると同様の樹脂シート１１と不織布１２とからなる複合シート１０を用い、複合シート１０の透ける度合が不織布１２の厚みにより設定され、複合シート１０における不織布１２の側が容器本体２１０の外側に配置される。
【００５０】
従って、透明容器２００にあっても、透明容器１００における前述(a)〜(d)と実質的に同様の作用効果を奏する。
【００５１】
以上、本考案の実施例を図面により詳述したが、本考案の具体的な構成はこの実施例に限られるものではなく、本考案の要旨を逸脱しない範囲の設計の変更等があっても本考案に含まれる。
【産業上の利用可能性】
【００５２】
本考案によれば、内容商品の劣化を防止できる透明容器を簡易に得ることができる。
【００５３】
また、本考案によれば、所望の透ける度合を具備した透明容器を簡易に得ることができる。
【００５４】
また、本考案によれば、指紋跡を生じにくい透明容器を簡易に得ることができる。
【００５５】
また、本考案によれば、加工コストを低減できる透明容器を簡易に得ることができる。
【００５６】
また、本考案によれば、印刷インキの裏写りやブロッキングを防止できる透明容器を簡易に得ることができる。
【符号の説明】
【００５７】
１０  複合シート
１１  樹脂シート
１２  不織布
１００、２００  透明容器
１１０、２１０  容器本体
【図１】
0003194184.tif 000003
【図２】
0003194184.tif 000004
【図３】
0003194184.tif 000005